(57)【要約】      （修正有）【課題】完全効果型の告知広告を実現する告知広告応答情報課金システム及びその方法を提供する。【解決手段】告知広告情報に対して閲覧者が購入、質問、回答、応募、コンタクト希望等の応答をすることができるよう、応答のための入力ができる手段を施し、そこで入力された告知広告情報に対する応答情報を応答情報処理装置３０において収集、処理して告知広告者端末１０に送信する。さらに告知広告者端末１０は、その内容が有効な応答情報であると判断した場合に、応答した閲覧者情報の開示を応答情報処理装置３０に要求して入手することができる。応答情報処理装置３０はその開示要求に応じて閲覧者情報を告知広告者端末１０に送信し、その時点で告知広告の料金として課金をする。このことで完全に告知広告効果に対応した告知広告料金の課金を実施できるものである。【選択図】図２
2009037578.tif 000002
【特許請求の範囲】
【請求項１】
閲覧者端末と、告知広告者端末と、告知広告情報提供装置と、応答情報処理装置とを備え、前記閲覧者端末を用い閲覧者が通信ネットワークを介して前記告知広告情報提供装置が提供する告知広告情報を閲覧または告知広告情報の電子メールを受信するシステムにおいて、前記閲覧者端末から閲覧者情報および告知広告情報に対する応答情報を前記応答情報処理装置に受け渡す手段と、受け渡された閲覧者情報および告知広告情報に対する応答情報を認識、管理等の処理をするとともに必要に応じて前期告知広告端末に受け渡す手段と、前期告知広告者への閲覧者情報または告知広告情報に対する応答情報の受け渡しをもって告知広告料金を課金登録する手段を有することを特徴とする告知広告応答情報課金システム。
【請求項２】
閲覧者端末と、告知広告者端末と、告知広告情報提供装置と、応答情報処理装置とを備え、前記閲覧者端末を用い閲覧者が通信ネットワークを介して前記告知広告情報提供装置が提供する告知広告情報を閲覧または告知広告情報の電子メールを受信するシステムにおいて、前記閲覧者端末から閲覧者情報および告知広告情報に対する応答情報を前記応答情報処理装置に受け渡す手段を備え、前記応答情報処理装置はそれらの情報のうちまず告知広告に対する応答情報部分を前記告知広告者端末に送信し、その告知広告情報に対する応答情報に対応する閲覧者情報は前記告知広告者端末からの開示要求を受けて送信し、その閲覧者情報送信をもって告知広告料金を課金登録することを特徴とする告知広告応答情報課金方法。
【発明の詳細な説明】
【技術分野】
【０００１】本発明は、各種告知、広告等を、特にインターネットを通じて実施する際の告知広告料金の課金システムおよびその方法に関する。
【背景技術】
【０００２】インターネット等の通信ネットワークの普及により、企業等がその営業活動の手段としてインターネット等を利用する機会が増えてきており、特にインターネット広告を中心とした告知広告行動を支援する事業は年々その市場規模を拡大している。インターネットによる告知広告の料金は広告媒体への掲載期間や閲覧者の目に触れる回数等によって決められることが多い。そのため広告収入を主な売上としているインターネットサイトでは１広告あたりの単価を向上させる狙いから、閲覧者数増大を追求する内容企画のアイデア出しに躍起であることを耳にする。また近年ではインターネットの表示画面上の広告をクリックすると告知広告者のホームページにリンクし、その実績回数に課金する技術的なしくみも出現している。
【発明の開示】
【発明が解決しようとする課題】
【０００３】上述したように従来の告知広告の料金は、広告媒体への掲載期間や閲覧者の目に触れる回数等によって決められることが多いのが現状であるが、一般的に商品広告や求人広告を実施しようとする時、告知広告者にとってはその効果が未知であるゆえに効果の期待値に対して広告費を出費することになる。しかしながら結果として必ずしも期待どおりの効果があるとはいえない。上述のインターネットの表示画面上の広告クリックによるリンク実績回数に課金する技術的なしくみについても、広告の詳細を閲覧者に見せたからといって、注文や問い合わせ、応募といった実際に期待したい効果に直接的に結びつくものではない。告知広告する側からとってすると、告知広告の料金はその効果に対する対価として支払うことが望ましい。【０００４】本発明ではその点に着目して、告知広告に対する市場の相手からの応答に課金することで、完全効果型の告知広告を実現する告知広告応答情報課金システムおよびその方法を提供することを目的とする。
【課題を解決するための手段】
【０００５】本発明の告知広告応答情報課金システムは、閲覧者端末と、告知広告者端末と、告知広告情報提供装置と、応答情報処理装置とを備え、前記閲覧者端末を用い閲覧者が通信ネットワークを介して前記告知広告情報提供装置が提供する告知広告情報を閲覧または告知広告情報の電子メールを受信するシステムにおいて、前記閲覧者端末から閲覧者情報および告知広告情報に対する応答情報を前記応答情報処理装置に受け渡す手段と、受け渡された閲覧者情報および告知広告情報に対する応答情報を認識、管理等の処理をするとともに必要に応じて前期告知広告端末に受け渡す手段と、前期告知広告者への閲覧者情報または告知広告情報に対する応答情報の受け渡しをもって告知広告料金を課金登録する手段を有する。【０００６】本発明の告知広告応答情報課金方法は、閲覧者端末と、告知広告者端末と、告知広告情報提供装置と、応答情報処理装置とを備え、前記閲覧者端末を用い閲覧者が通信ネットワークを介して前記告知広告情報提供装置が提供する告知広告情報を閲覧または告知広告情報の電子メールを受信するシステムにおいて、前記閲覧者端末から閲覧者情報および告知広告情報に対する応答情報を前記応答情報処理装置に受け渡す手段を備え、前記応答情報処理装置はそれらの情報のうちまず告知広告に対する応答情報部分を前記告知広告者端末に送信し、その告知広告情報に対する応答情報に対応する閲覧者情報は前記告知広告者端末からの開示要求を受けて送信し、その閲覧者情報送信をもって告知広告料金を課金登録する。
【発明の効果】
【０００７】本発明は、告知広告に対する閲覧者の応答であり且つ告知広告者が期待した応答、つまり告知広告者にとっては有効な応答に対してのみ課金されるため、告知広告の掲載期間や閲覧者の目に触れる回数等によって告知広告料金が決められるといった広告効果の期待値に課金するのではなく、完全に告知広告効果に応じて告知広告料金の課金を実施できるという効果がある。
【発明を実施するための最良の形態】
【実施例】
【０００８】本発明の概要を実施例の図面を用いて説明する。【０００９】図１は本発明の実施例における告知広告応答情報課金システムの概要構成図である。
告知広告情報は、告知広告者端末１０から告知広告情報提供装置２０に登録される。告知広告の閲覧者は閲覧者端末４０より通信ネットワーク５０を介して告知広告情報提供装置２０が提供する告知広告サイトにアクセスして告知広告情報を閲覧する。または告知広告情報提供装置２０が配信する告知広告情報が掲載された電子メールを受信して閲覧する。その告知広告情報には、閲覧者が購入、質問、回答、応募、コンタクト希望等の応答をすることができるよう、例えば応答のための入力ができる手段が施されている。閲覧者はこの応答手段を用いて自己の情報である閲覧者情報および告知広告情報に対する応答情報を応答情報処理装置３０に送信する。応答情報処理装置３０は受け渡された情報について認識、管理等の処理をし、まず告知広告情報に対する応答情報を告知広告者端末１０に送信する。告知広告者は告知広告情報に対する応答情報の内容を確認した上で、必要に応じて応答した閲覧者情報の開示を応答情報処理装置３０に要求する。応答情報処理装置３０はその要求を受け、閲覧者情報を告知広告者端末１０に送信すると同時に、応答情報の内容に応じた課金登録をする。【００１０】次に、本発明の詳細を実施例の図面を用いて説明する。【００１１】図２は本発明の実施例における告知広告応答情報課金システムの構成図である。
告知広告者端末１０は、パーソナルコンピュータのような情報処理装置である。これはインターネットのような通信ネットワーク５０に接続され、閲覧者端末４０から応答情報処理装置３０を介して送信される告知広告情報に対する応答情報を受信する応答情報等受信手段１１と、その応答情報に対応する閲覧者情報の送信を要求することができる閲覧者情報送信要求手段１２を備える。商品の告知または広告、求人広告、各種募集告知等をインターネット上で実施しようとする告知広告者は、告知広告者端末１０から告知広告情報提供装置２０に告知広告情報の掲載を登録する。【００１２】一方閲覧者端末４０もパーソナルコンピュータのような情報処理装置である。同じく通信ネットワーク５０に接続され、告知広告情報提供装置２０が提供する告知広告サイトへのアクセス手段４１と、自己の情報である閲覧者情報および告知広告情報に対する応答情報を入力する応答情報等入力手段４２を備える。閲覧者は閲覧者端末４０より通信ネットワーク５０を介して告知広告情報提供装置２０が提供する告知広告サイトにアクセスして告知広告者が掲載する告知広告情報を閲覧する。または告知広告情報提供装置２０が配信する告知広告情報が掲載された電子メールを受信して閲覧する。【００１３】告知広告情報提供装置２０には告知広告者端末１０から登録された告知広告情報が掲載され、告知広告情報画面サーバー２１より通信ネットワーク５０を通じて閲覧者端末４０へ提供される。または告知広告メール送信手段２２より通信ネットワーク５０を通じて閲覧者端末４０へ配信される。【００１４】応答情報処理装置３０は閲覧者端末４０より送信された閲覧者情報および告知広告情報に対する応答情報を受信する応答情報等送受信手段３１と、これらを認識し管理する情報処理手段３２と、告知広告者端末１０の閲覧者情報送信要求手段１２から送信された閲覧者情報開示要求を受けて閲覧者情報を送信した場合に課金登録をする応答情報料金課金登録手段３３を備える。なお、応答情報等送受信手段３１は、閲覧者端末４０より送信された告知広告情報に対する応答情報を情報処理手段３２で処理後告知広告者端末１０に送信する場合、および告知広告者端末１０の閲覧者情報開示要求手段１３から送信された閲覧者情報開示要求を受けて閲覧者情報を送信する場合にも使用する。【００１５】なお、告知広告情報提供装置２０と応答情報処理装置３０は同一の場所に一体となった形で設置されている場合もある。【００１６】次に、本発明の実施例における動作についてフローチャートを用いて詳細に説明する。【００１７】図３は本発明の実施例における動作についてのフローチャートである。インターネット等の通信ネットワーク５０上で商品の告知または広告、求人広告、各種募集告知等を実施しようとする告知広告者は、告知広告者端末１０から告知広告情報提供装置２０に告知広告者情報および告知広告情報の掲載を登録する（ステップＦ１）。告知広告の閲覧者は閲覧者端末４０より通信ネットワーク５０を介して告知広告情報提供装置２０が提供する告知広告サイトにアクセスして告知広告情報を閲覧する。または告知広告情報提供装置２０が配信する告知広告情報が掲載された電子メールを受信して閲覧する（Ｆ２）。その告知広告情報には、閲覧者が購入、質問、回答、応募、コンタクト希望等の応答をすることができるよう、例えば応答のための入力ができる手段が施されている。閲覧者はこの応答手段を用いて自己の情報である閲覧者情報および告知広告情報に対する応答情報を応答情報処理装置３０に送信する（Ｆ３）。応答情報処理装置３０は受け渡された情報について認識、管理等の処理をし（Ｆ４）、まず告知広告情報に対する応答情報部分を告知広告者端末１０に送信する（Ｆ５）。告知広告者は告知広告情報に対する応答情報の内容を確認した上で、必要に応じて応答した閲覧者情報の開示を応答情報処理装置３０に要求する（Ｆ６）。応答情報処理装置３０は告知広告者からの開示要求を受け、閲覧者情報を告知広告者端末１０に送信する（Ｆ７）と同時に、応答情報の内容に応じた課金登録をする（Ｆ８）。その後告知広告者が閲覧者へコンタクトをとり、閲覧者の購入、質問、回答、応募等の応答に対応する（Ｆ９）。これにより、告知広告者が実施した告知広告に関しては、閲覧者からの告知広告情報に対する応答であり且つ告知広告者が有効であると判断した応答情報のみに告知広告料金が課金されたこととなる。
【図面の簡単な説明】
【図１】本発明の実施例の概略システム構成図である。
【図２】本発明の実施例のシステム構成図である。
【図３】本発明の実施例の動作フローチャートである。
【符号の説明】
１０  告知広告者端末
１１  応答情報等受信手段
１２  閲覧者情報送信要求手段
２０  告知広告情報提供装置
２１  告知広告情報画面サーバー
２２  告知広告メール送信手段
３０  応答情報処理装置
３１  応答情報等送受信手段
３２  情報処理手段
３３  応答情報料金課金登録手段
４０  閲覧者端末
４１  告知広告サイトへのアクセス手段
４２  応答情報等入力手段
５０  通信ネットワーク
【図１】
2009037578.tif 000003
【図２】
2009037578.tif 000004
【図３】
2009037578.tif 000005